(57)【要約】      （修正有）【課題】移動装置が加入者識別モジュール（ＳＩＭ）に同時にアクセスすることを可能にするシステムおよび方法を提供する。【解決手段】ＳＩＭは無線トランシーバを備えており、移動電話機内に配置されるか、独立の装置として配置されることができる。移動装置はブルートゥースのような無線プロトコルを使用して、ＳＩＭから識別情報を検索する。その後、無線ローカルエリアネットワークのような無線通信ネットワークはインターネットにアクセスすることができるであろうが、装置はこの識別情報を使用してこのネットワークに接続する。ＳＩＭが１個の装置から取外されて別の装置に挿入されることは決してないし、また、複数の装置がＳＩＭを同時に使用することができる。したがって、移動電話は、別の装置が同じＳＩＭを使用しているか否かにかかわらず動作する。【選択図】図３
2010246102.tif 000002
【特許請求の範囲】
【請求項１】
データ処理装置によって加入者識別モジュール（ＳＩＭ）に情報をリクエストし、前記ＳＩＭはトランシーバと関連しており、
前記データ処理装置において前記情報を前記ＳＩＭから受信し、
ネットワークに接続するために前記情報を使用するステップを含んでいるネットワークに接続する方法。
【請求項２】
前記情報をリクエストするステップは、
エリア内のＳＩＭの位置をつきとめ、
ネットワーク認証証明を前記データ処理装置中に入力し、
前記ネットワーク認証証明および前記装置認証情報を前記ＳＩＭに入力し、
前記装置認証情報を確認し、
前記ネットワーク認証証明を使用して前記データ処理装置を認証するステップを含んでいる請求項１記載の方法。
【請求項３】
前記情報を受信するステップは、
前記リクエストされた情報を前記データ処理装置に返送するステップを含んでいる請求項１記載の方法。
【請求項４】
ネットワークに接続するために前記情報を使用するステップは、
前記データ処理装置が通信することのできるネットワークの位置をつきとめ、
識別情報を前記ネットワークに送信し、
前記ネットワークによって前記データ処理装置を認証し、
前記データ処理装置による前記ネットワークの使用を許可するステップを含んでいる請求項１記載の方法。
【請求項５】
前記ネットワークは無線通信ネットワークである請求項１記載の方法。
【請求項６】
前記無線通信ネットワークは無線ローカルエリアネットワークである請求項５記載の方法。
【請求項７】
前記情報をリクエストし、前記情報を受信するステップは、無線プロトコルを使用して行われる請求項１記載の方法。
【請求項８】
前記無線プロトコルはブルートゥースである請求項７記載の方法。
【請求項９】
前記データ処理装置はハンドヘルド装置である請求項１記載の方法。
【請求項１０】
前記データ処理装置はラップトップコンピュータである請求項１記載の方法。
【請求項１１】
前記ＳＩＭは移動電話機内に配置され、前記移動電話機は前記トランシーバを提供する請求項１記載の方法。
【請求項１２】
前記ＳＩＭは独立型装置である請求項１記載の方法。
【請求項１３】
前記ＳＩＭはユニバーサル加入者識別モジュール（ＵＳＩＭ）である請求項１記載の方法。
【請求項１４】
マイクロプロセッサと、
メモリと、
トランシーバとを備えている加入者識別モジュール（ＳＩＭ）。
【請求項１５】
さらに、パワーモジュールを備えている請求項１４記載のＳＩＭ。
【請求項１６】
前記トランシーバは無線である請求項１４記載のＳＩＭ。
【請求項１７】
前記ＳＩＭは独立型装置として動作する請求項１５記載のＳＩＭ。
【請求項１８】
前記ＳＩＭは移動電話装置内に組込まれている請求項１４記載のＳＩＭ。
【請求項１９】
無線トランシーバを備えたＳＩＭと、
前記ＳＩＭと通信することのできる１以上の移動装置とを備えている加入者識別モジュール（ＳＩＭ）への同時アクセスを行うためのシステム。
【請求項２０】
前記移動装置は、ひとたび識別情報が前記ＳＩＭから受信されると、無線通信ネットワークおよびインターネットにアクセスすることが可能である請求項１９記載のシステム。
【請求項２１】
前記ＳＩＭは前記移動装置の間でデータを自動的に同期させる請求項１９記載のシステム。
【請求項２２】
プロセッサにより実行されたときに、
予め構成された情報またはユーザ入力情報によって、あるいは周辺エリアを探索することによって加入者識別モジュール（ＳＩＭ）の位置を無線でつきとめ、
認証証明としてのユーザ入力を受信し、
前記証明を前記ＳＩＭに送信し、
認証および識別情報を前記ＳＩＭから受信し、
無線通信ネットワークにアクセスするために前記識別情報を使用するステップをコンピュータに実行させるコンピュータ読取り可能な命令を含んでいるコンピュータ読取り可能な媒体。
【請求項２３】
データを装置に入力し、
前記データを加入者識別モジュール（ＳＩＭ）に送信し、
前記ＳＩＭと通信している別の装置に前記データを送信するステップを含んでいるデータを自動的に同期させる方法。
【請求項２４】
前記データを送信して送るステップは、無線プロトコルを使用して行われる請求項２３記載の方法。
【請求項２５】
さらに、前記データを前記ＳＩＭ中に記憶するステップを含んでいる請求項２３記載の方法。
【請求項２６】
１以上のデータ処理装置と通信している加入者識別モジュール（ＳＩＭ）を備えており、
前記データ処理装置は装置認証情報を前記ＳＩＭに送って、前記装置を有効な装置として認証し、
前記ＳＩＭは識別情報を前記装置に送信し、
前記装置は前記識別情報を使用してネットワークに対してそれら自身を認証するネットワークに対してデータ処理装置を認証するシステム。
【請求項２７】
前記ネットワークは無線ネットワークである請求項２６記載のシステム。
【請求項２８】
前記ＳＩＭと前記データ処理装置との間の通信は、無線プロトコルを使用して行われる請求項２６記載のシステム。
【発明の詳細な説明】
【技術分野】
【０００１】
本発明は、一般に、加入者識別モジュール（ＳＩＭ）に関する。とくに、本発明は、無線通信ネットワークにアクセスするための複数の装置による１個のＳＩＭを同時に使用する方法に関する。
【背景技術】
【０００２】
加入者識別モジュール（ＳＩＭ）は、ユーザを識別してこのネットワークに対して認証するために使用され、その結果ユーザが電話をかけることおよび電話を受けることを移動電話ネットワークが許可することができる移動電話内の装置である。さらに、ＳＩＭは、技術的に知られているようにアルゴリズムの使用により変換を暗号化する。ＳＩＭは現在、ほとんどの移動電話中に認められる。ＳＩＭはある１個のプロセッサおよびメモリを備えており、いくつかのタイプのＳＩＭは移動電話から取外し可能である。ユニバーサル加入者別モジュール（ＵＳＩＭ）は次世代ＳＩＭである。以降、ＳＩＭおよびＵＳＩＭの両者をまとめてＳＩＭと呼ぶ。
【０００３】
現在、移動電話サービスオペレータは一般的に、ユーザに対して彼等の移動電話機によるインターネットアクセスを提供している。移動電話通話に関しては、ＳＩＭは、インターネットへの接続および送信されているデータの暗号化を求めているユーザを識別して認証を与えるように機能する。
【０００４】
無線通信ネットワークは、装置がケーブルまたはワイヤを使用せずに接続することを可能にするネットワークである。移動計算装置（たとえば、ラップトップコンピュータまたはハンドヘルド装置）からインターネットにアクセスするために無線通信ネットワークに接続することは益々一般的なことになってきている。移動電話ネットワークの多くのオペレータは、彼等の移動電話サービスと並列に無線通信ネットワークの提供をその業務に入れているか、あるいは、おそらく、そうなるであろう。無線通信ネットワークの一般的な例としては、通常の無線電話ネットワークよりも高速のアクセスを行う無線ローカルエリアネットワークである。
【０００５】
移動計算装置の複数のユーザはまたインターネットアクセスを行う移動電話を所有している。それらユーザがある無線通信ネットワークにアクセスする場合、彼等は彼等の電話または彼等の移動計算装置のいずれからでもインターネットにアクセスすることができる。しかしながら、無線通信ネットワークにアクセスするために、ラップトップまたはハンドヘルド装置はＳＩＭに接続されていなければならない。したがって、ユーザは、そのユーザが無線ネットワークへの接続を所望する装置のそれぞれに対して１個のＳＩＭを有していなければならないか、あるいはユーザは、そのユーザが無線ネットワークへの接続を所望するたびに、１個の装置からＳＩＭを取外して、それを別の装置に挿入しなければならない。ユーザは２つの異なったサービス（移動電話サービスおよびＷＬＡＮサービス）への加入を強制されるか、あるいは同じオペレータが両方のネットワークを動作させている場合にはユーザは彼がインターネットにアクセスする各装置の代金を支払わなければならないため、第１の解決方法には問題がある。さらに、異なった装置を使用してインターネットへの接続を所望する家族メンバーの各々は彼等自身のＳＩＭを有していなければならず、このために料金請求書の作成が複雑になる可能性が高い。ユーザはまた複数の装置上に保存されているデータを同期させなければならない。ユーザはＳＩＭを物理的に取外してそれを別の装置中に挿入しなければならないためだけでなく、一度に１個の装置しかインターネットへのアクセスに使用することができないため、第２の解決方法には問題がある。したがって、１個のＳＩＭだけでは同時アクセスを行うことができない。また、ＳＩＭが移動電話機から取外されている場合、その電話機を使用して電話をかけたり、あるいは電話を受けたりすることができない。したがって、複数の装置を所有するユーザが各装置でインターネットに接続することを可能にする簡単な方法が必要とされている。
【発明の概要】
【０００６】
本発明の特徴は、少なくとも１個の装置が１個のＳＩＭを遠隔的に使用して無線ネットワークに接続できるように移動装置と無線で通信することのできるＳＩＭを提供することにより従来技術の欠点の少なくともいくつかを解決する。ＳＩＭは移動電話または独立型装置内に存在することができる。ＳＩＭは複数の装置の間に物理的に再配置される必要がないため、その移動電話は、ラップトップまたはハンドヘルド装置がＳＩＭにアクセスしている最中に依然として使用されることができる。
【図面の簡単な説明】
【０００７】
【図１】移動電話ネットワーク内における従来技術のＳＩＭを備えた従来技術の移動電話を示す概略図。
【図２】本発明の実施形態によるＳＩＭを示す概略図。
【図３】本発明の実施形態による移動電話ネットワークに接続するために独立型ＳＩＭを使用する移動電話を示す概略図。
【図４】本発明の実施形態による無線通信ネットワークに接続するために無線ＳＩＭを使用する移動計算装置を示す概略図。
【図５】本発明の実施形態による単一のＳＩＭを使用する複数の移動装置を示す概略図。
【図６】本発明の実施形態による移動計算装置とそのエリア内の複数のＳＩＭとの通信を示す概略図。
【図７】本発明の実施形態による複数のＳＩＭと同じエリア内の複数の装置との通信を示す概略図。
【図８】本発明の実施形態によるネットワークにアクセスするためにＳＩＭを使用する複数の移動計算装置および移動電話を示す概略図。
【図９】ある装置に対して使用されるあるＳＩＭを発見するための本発明の実施形態による方法を示すフロー図。
【図１０】ある装置がＳＩＭにアクセスしたときに警報を送るための本発明の実施形態による方法を示すフロー図。
【図１１】ある移動装置がＳＩＭを使用して無線通信ネットワークに接続するための本発明の実施形態による方法を示すフロー図。
【図１２】装置間の情報の自動同期の概略図。
【詳細な説明】
【０００８】
本発明の特徴は、ラップトップまたはハンドヘルド装置のユーザがユーザの装置に接続されていない加入者識別モジュール（ＳＩＭ）を無線で使用して無線通信ネットワークにアクセスすることを可能にする機能を提供する。このＳＩＭは移動電話内に、あるいは独立型装置としてのいずれの形態でも存在することができる。ユーザは、おそらく無線通信ネットワークおよび移動電話ネットワークの両者を制御する無線サービスオペレータを介してサービスに加入する。ユーザがそのユーザの移動計算装置（たとえば、ラップトップコンピュータまたはハンドヘルド装置）によりインターネットに接続することを所望したとき、そのユーザの移動計算装置はＳＩＭと無線で通信して識別情報を獲得する。情報が獲得されると、そのユーザはその移動計算装置によって、あたかもそのＳＩＭがその装置に接続されているかのように、無線通信ネットワークにアクセスすることができる。
【０００９】
図１は、インターネットにアクセスすることを可能にされた移動電話が通常の従来技術のシステムにおいてどのようにして機能するかを示している。移動電話機100は、取外し可能であってもよいし、あるいはそうでなくてもよいＳＩＭ102を備えている。移動電話機は、移動電話ネットワーク106に接続されている移動局104と通信する。移動電話サービスオペレータはこのネットワーク106を動作させる。移動電話機のユーザがインターネットの使用を所望した場合、そのユーザは、インターネット108に接続されている移動電話ネットワーク106によってインターネットにアクセスすることができる。
【００１０】
ＳＩＭ102は移動電話ネットワーク106に対して移動電話ユーザを識別するために使用され、ホームロケーションレジスタ（ＨＬＲ）のようなデータベース中にその情報が含まれているユーザを認証して許可する。ＳＩＭ102はまた、他者が通話を聞くことができないようにアルゴリズムによって音声およびデータ伝送を暗号化する。ＳＩＭ102が移動電話機100から取外されている場合、ユーザは電話をかけたり、電話を受けたり、あるいはインターネットにアクセスすることができなくなる。ＳＩＭ102は複数のタイプのデータを記憶している。代表的なデータは製造業者、サービスプロバイダ、アイデンティティおよび保護情報に関するものである。一時的なネットワークデータは、その電話の位置と一時的な秘密保護およびアイデンテイティ値に関する情報である。サービスデータは、そのユーザが異なったサービスにアクセスできるか否かに関する情報に関する。ＳＩＭ102はまた、サービスの実行または特徴の提供を行うアプリケーションを記憶している。最後に、ＳＩＭ102は、ユーザによって入力された個人データを含んでいる。ユニバーサル加入者識別モジュール（ＵＳＩＭ）は、ユニバーサル移動通信システム（ＵＭＴＳ）に適合するＳＩＭである。
【００１１】
図２は、本発明の特徴に開示されているＳＩＭ102を詳細に示している。ＳＩＭは、この分野において標準的であるマイクロプロセッサ200およびメモリ202を備えている。ＳＩＭはまた、無線トランシーバ204を備えている。本発明の別の実施形態において、無線トランシーバはブルートゥース、８０２．１１ａ、８０２．１１ｂ、赤外線、ＧＳＭ、小域ＷＬＡＮ、およびその他の通信プロトコルを使用することができる。本発明のいくつかの実施形態において、ＳＩＭは、これは全ての実施形態に該当するわけではないが、電池のようなパワーモジュール206を備えていることができる。パワーモジュール206は、以下に説明するようにＳＩＭが独立型装置である場合に具備されてもよい。
【００１２】
ＳＩＭは、移動電話の一部および、または独立型装置であることができる。それが独立型装置として機能する場合、加入者はそれを財布に入れて携帯することができ、それによって、おそらく、ユーザは公衆通信端末に容易にアクセスし、あるいは高速道路の使用料を支払うことが可能になる。さらに、財布に入るような独立型ＳＩＭを有することには、セキュリティ上の利点がある。
【００１３】
図３は、ＳＩＭが独立型装置である場合に移動電話がどのようにして動作するかを示している。ユーザが電話をかけたり、受けたり、あるいはインターネット310にアクセスすることを所望したとき、移動電話機300はこの電話内の無線トランシーバ302とＳＩＭ内の無線トランシーバ312によってＳＩＭ304と通信する。移動電話機300は識別情報をＳＩＭ304にリクエストし、このＳＩＭ304が識別情報を電話300に送信する。その後、電話は移動局306に送信するためにその識別情報を使用し、その後この移動局306はそれを移動電話ネットワーク308に送信する。その後、ネットワーク308はユーザを認証して許可し、請求金額のような課金情報を取り扱う。ユーザがインターネット310へのアクセスを所望した場合、ネットワーク308は、その機能を提供することができる。移動電話300は、あたかもそれがＳＩＭをその内部に有しているかのように動作する。本発明の別の実施形態において、移動電話ネットワークはＧＳＭ，ＷＣＤＭＡ，３ＧＰＳ，ＴＤＭＡ，ＣＤＭＡ，ＦＤＭＡ，ＩＰ電話，ＵＭＴＳまたはＰＣＳであることができるが、それに制限されない。さらに、別の実施形対においては、ＳＩＭはＵＳＩＭであることができる。最後に、移動電話機300はＳＩＭ304を使用することに制限されない。それは、移動電話ネットワーク308に接続するために別のＳＩＭを使用することが可能である。いくつかの実施形態において、電話機300は、電話ユーザのＳＩＭを自動的に使用するように構成されてもよいが、しかし、それは別のＳＩＭを使用するようにようにさらに再構成されてもよい。
【００１４】
いくつかの実施形態のように、ＳＩＭが移動電話機内に設けられている場合、システムは、図１のシステムと同様に機能する。ＳＩＭ102は、図２に示されている無線トランシーバ204を備えていてもよく、それはまた図２に示されているパワーモジュール206を備えていてもよい。上記のように、本発明の別の実施形態においては、移動電話ネットワークはＧＳＭ，ＷＣＤＭＡ，３ＧＰＳ，ＴＤＭＡ，ＣＤＭＡ，ＦＤＭＡ，ＩＰ電話，ＵＭＴＳまたはＰＣＳであることができるが、それに制限されない。また、別の実施形態において、ＳＩＭはＵＳＩＭであることができる。
【００１５】
図４は、本発明において移動計算装置400が無線通信ネットワークにどのようにして接続するかを示している。移動計算装置400は、１以上の無線トランシーバ402および404を備えていることができる。ユーザが無線通信ネットワーク408へのアクセスを所望したとき、移動計算装置400はＳＩＭ406の位置を決定しなければならない。いくつかの実施形態において、移動計算装置400は、ＳＩＭ406を使用するように予め構成されてもよいし、あるいはユーザはＳＩＭ406を使用するためにその装置に知らせてもよい。さらに別の実施形態において、装置は近くのＳＩＭを探索し、ＳＩＭのリストをユーザに戻すことができる。その後、ユーザは、使用すべきＳＩＭを選択することができる。上述したように、ＳＩＭ406は移動電話機中に統合されてもよいし、あるいは別の実施形態では、ＳＩＭ406は独立型装置であってもよい。ＳＩＭ406がひとたび位置決定されると、無線トランシーバ404がそのＳＩＭと通信する。別の実施形態において、無線トランシーバ404はブルートゥース、８０２．１１ａ、８０２．１１ｂ、赤外線、ＧＳＭまたは小域ＷＬＡＮを使用することができるが、それに制限されない。ＳＩＭ406は識別情報を移動計算装置400に提供し、その後この移動計算装置400はこの識別情報を使用して無線通信ネットワーク408に接続することができる。移動計算装置400は同じ無線トランシーバ404または別の無線トランシーバ402のいずれかを使用して、無線通信ネットワーク408と通信することができる。無線通信ネットワークと通信するトランシーバは８０２．１１ａ、８０２．１１ｂ、ＧＳＭまたはＷＬＡＮを使用することができるが、それに制限されない。通信路414および416に対して使用されたプロトコルは、通信路418および420に対して使用される必要はない。さらに、セキュリティのために、通信路414に対して使用されたプロトコルは通信路416とは異なっていてもよく、また、通信路418に対して使用されたプロトコルは通信路420とは異なっていてもよい。たとえば、トランシーバ404はブルートゥースで送信してもよく、ＳＩＭ406は赤外線で返送してもよい。また、別の実施形態では、ＳＩＭ406はＵＳＩＭであることができる。移動計算装置400とＳＩＭ406との間の通信には、暗号化アルゴリズムまたは長期キーのようなセキュリティデータの送信は含まれない。むしろ、装置400がセキュリティデータへのアクセスを要求したとき、それはチャレンジをＳＩＭ406に送信し、その返送としてＳＩＭ406は応答を装置400に送る。たとえば、装置400はあるデータが解読されることを必要としてもよいので、それ故それはチャレンジをＳＩＭ406に送って、解読を要求する。ＳＩＭ406は記憶されているアルゴリズムを使用してデータを解読し、またＳＩＭ406はデータを装置400に返送する。したがって、セキュリティデータは危険にさらされない。
【００１６】
無線通信ネットワーク408はそれ自身の認証および許可を行うが、しかしそれは移動電話ネットワーク412と通信することができる。ひとたび認証および許可が行われると、ユーザは無線通信ネットワーク408およびこれに接続されたインターネット410にアクセスすることができる。
【００１７】
この時点で、移動計算装置400は、あたかもＳＩＭ406がこの装置400中に挿入されているかのように動作する。しかしながら、ＳＩＭ406は装置400中に挿入されていないため、また、ＳＩＭ406は無線であるため、別の装置がネットワークにより認証するために同時にＳＩＭを使用することが可能である。図５は、複数の装置によりネットワークに同時にアクセスするシステムを示している。装置500、502および504の全てが識別情報をＳＩＭ506にリクエストする。ＳＩＭ506は移動電話機の一部であってもよいし、あるいはＳＩＭ506は独立型装置であってもよい。いくつかの実施形態において、装置500は、移動電話ネットワーク510と通信するために識別情報を使用する移動電話機であることができる。いくつかの実施形態において、装置502はパーソナルデジタルアシスタント（ＰＤＡ）のようなハンドヘルド装置であることができ、また装置504はラップトップコンピュータであることができ、これらは共に識別情報を使用して無線通信ネットワーク508と通信することができる。したがって、このシステムにより複数の装置は、同じＳＩＭからの同じ識別情報を使用する共通のオペレータによって動作され、同時に異なったネットワークにアクセスすることができる。このシステムによって、ユーザは、このユーザの移動電話から電話をかけたり受けたりする能力を失うことなく、そのユーザのラップトップから無線通信ネットワーク508にアクセスすることができる。また、異なった実施形態においては、ＳＩＭ506はＵＳＩＭであってもよい。
【００１８】
図６は、単一の移動計算装置600が複数のＳＩＭ604、606、608および610の範囲内に位置しているときのシナリオを示している。いくつかの実施形態において、装置のユーザは、無線トランシーバ602がたとえばＳＩＭ604を常に使用することを認識しているように装置600を予め構成してしまっているであろう。別の実施形態において、ユーザが無線通信ネットワークへの接続を所望した時点で、その装置のユーザはたとえばＳＩＭ604を使用することをその装置に通知するであろう。さらに別の実施形態においては、装置はそのエリア内においてＳＩＭを探索する。装置は、範囲内に存在するＳＩＭ604、606、608および610のリストを示すメニューをユーザに表示する。その後、ユーザは使用すべきＳＩＭをメニューから選択することができる。また、別の実施形態において、ＳＩＭの任意のものがＵＳＩＭであってもよい。
【００１９】
図７は、複数の移動計算装置708、710および712が複数のＳＩＭ700、702および704と同じエリア内に存在しているときのシナリオを示している。ＳＩＭ704は移動電話機706内に配置されている。しかしながら、それはＳＩＭ700および702と同じ方式で動作する。認証されて許可された場合、移動計算装置は任意のＳＩＭを使用することができる。さらに認証されて許可された場合、識別情報を獲得するために３個の装置708、710および712の全てが同じＳＩＭを同時に使用してもよい。上述したように、移動電話機706は、移動計算装置708、710および712がＳＩＭ704を使用している場合でも使用されることができる。また、別の実施形態において、ＳＩＭの任意のものがＵＳＩＭであってもよい。
【００２０】
図８は、本発明の１実施形態を示している。移動電話機800は組込み型ＳＩＭを使用して、移動局806を介して移動電話ネットワーク808に接続することができる。あるいは、移動電話機のユーザが独立型ＳＩＭ804を所有している場合、移動電話機800はそのＳＩＭを使用して移動電話ネットワーク808に接続してもよい。その場合、移動電話機800はブルートゥースのような無線プロトコルによってＳＩＭ804と通信する。移動電話機800は移動電話ネットワークを使用して電話をかけたり受けたりすることが共に可能であり、インターネット816にアクセスすることができる。ラップトップ810またはハンドヘルド装置812のような移動計算装置を所有しているユーザは、ＷＬＡＮのような無線通信ネットワーク814への接続を所望することができる。ユーザはそのユーザの移動電話機800内のＳＩＭ802または独立型のＳＩＭ804にアクセスすることができる。どちらにしても、ラップトップ810およびハンドヘルド装置812はブルートゥースのような無線通信プロトコルを使用してＳＩＭ802またはＳＩＭ804のいずれとも通信する。ＳＩＭ802またはＳＩＭ804から検索された識別情報を使用して、無線通信ネットワーク814はそのユーザを認証して許可することができる。その後、ユーザは無線通信ネットワーク814およびインターネット816にアクセスすることができる。
【００２１】
実施形態の複数の特徴がそれを有用なものにする。ラップトップ810およびハンドヘルド装置812はＳＩＭ802およびＳＩＭ804の両者を同時に使用することができる。ラップトップ810またはハンドヘルド装置812により使用されるために、ＳＩＭ802は移動電話機800から取外される必要はない。ラップトップ810またはハンドヘルド装置812がＳＩＭ802を使用している最中に、移動電話800は移動電話ネットワーク808により電話をかけたり受けたりすることが可能であり、インターネット816にアクセスすることができる。同じオペレータは、おそらく、無線通信ネットワーク814および移動電話ネットワーク808の両者を動作させる。したがって、ユーザは一方のネットワークオペレータだけに加入し、それにもかかわらず同じセキュリティレベルが得られ、両方のネットワークにアクセスできる。ユーザは単一のオペレータおよび単一の課金からインターネットおよび移動電話アクセスの全てを受けることができるため、これはまた課金請求を簡単化する。また、移動電話ネットワーク808および無線通信ネットワーク814は相互認証をサポートすることができ、これは同じ識別情報が両ネットワークでユーザを認証するということを意味している。
【００２２】
いくつかの実施形態において、ネットワークサービスオペレータは、付加的な特徴の実施を所望することができる。はじめに、オペレータは彼等の加入者データベース（たとえば、ＨＬＲおよびＨＳＳＬＲ）中の任意の変更を最小にすることができる。また、移動電話ネットワークおよび無線通信ネットワークは通常のＳＩＭおよびＵＳＩＭをサポートすることができる。オペレータは移動装置に対するソフトウェアの変更とこのソフトウェアを管理する必要性を最小にすることができる。最後に、システムは無線ネットワーク内の既存のハードウェアをサポートすることができる。
【００２３】
図９のフローチャートは、ＳＩＭを探索するステップをさらに詳細に説明している。決定ステップ900において、装置は、それがある定まったＳＩＭを使用するように予め構成されているか否かを決定する。そうである場合、それはステップ910に進んで、ＳＩＭへのアクセスを試みる。そうでない場合、ステップ902において、装置はＳＩＭを入力するようにユーザに要求する。ユーザがそれを行った場合、ステップ910において装置はＳＩＭへのアクセスを試みる。行わなかった場合、ステップ904において装置はエリア内のＳＩＭを探索し、ステップ906において利用可能なＳＩＭのリストを有するメニューを戻す。ステップ908においてユーザはＳＩＭを選択することができ、ステップ910において装置はＳＩＭへのアクセスを試みる。ステップ910は図１０のステップ1000と同じである。したがって、以下に説明するように、ステップ912においてＳＩＭの所有者（ユーザと同一人物であってもよい）は、ステップ1002のようにユーザがＳＩＭへのアクセスを試みたときに警報を送られる。
【００２４】
システムは、許可されていないユーザがＳＩＭを使用することを阻止するためにセキュリティを提供する。はじめに、どのユーザも、彼がＳＩＭの使用を許可されていることを証明するためにパスワードのような証明を入力しなければならない。さらに、ＳＩＭはある定まった装置に対してのみ機能するようにプログラムされてもよい。しかしながら、その方法はＳＩＭの機能および適合性を制限する可能性がある。比較的低い範囲のＳＩＭは、許可されていないユーザに対する付加的なセキュリティレベルを提供するが、もっとも、これはＳＩＭと装置との間で通信するために使用されるプロトコルのタイプに部分的に依存する。それにもかかわらず、所有者は、潜在的な許可されていないユーザが使用された無線プロトコルによって特定されたある範囲内に存在しているに違いないことを知る。別のセキュリティ方法は、他者がそれにアクセスすることを阻止するようにＳＩＭの電源を切ることができることである。許可されていない使用を阻止する別のステップは、誰かがＳＩＭへのアクセスを試みた場合は常にそのＳＩＭが警報を与えられることができるか、あるいは警報が特定の装置に送られることができることである。警報がＳＩＭに直接与えられた場合、それはビープ音を発生するか、あるいはそうでなければある種の信号を与える。警報が特定された装置に与えられた場合、あるメッセージが表示され、ユーザにアクセスを知らせる。その後、ユーザは、そのアクセスが許可されているか否かを決定することができ、また、それを承認することあるいは承認しないことができる。
【００２５】
このプロセスのステップは、図１０のフローチャートにさらに詳細に示されている。ステップ1000において、装置Ｘ（たとえば、移動電話機または移動計算装置）はＳＩＭ（移動電話に組込まれているか、あるいは独立型の）にアクセスする。ステップ1002において、ＳＩＭは予め定められていた主装置Ａに警報を無線で送信する。その主装置は、おそらく、ユーザによって最も頻繁に使用される、あるいは家などに置きっぱなしにされている装置である。ステップ1004において、装置Ａのユーザは、その装置においてポップアップするメッセージの形態で警報を受取る。このメッセージは、別の装置が識別情報をＳＩＭにリクエストしていることをユーザに知らせ、また、そのメッセージは、決定ステップ1006において、アクセスを許可するか否かの選択肢をユーザ与える。アクセスを許可しないことをユーザが選択した場合、ステップ1008においてリクエストした装置へのアクセスを拒否するメッセージが送られ、ステップ1012においてＳＩＭはそのリクエストした装置に識別情報を送らない。他方、ユーザがアクセスを許可することを選択した場合、ステップ1010において装置はリクエストした装置へのアクセスを許可するメッセージをＳＩＭに送る。その場合、ステップ1012においてＳＩＭはリクエストした装置へのアクセスを許可する。
【００２６】
図１１は、移動装置のユーザが無線通信ネットワークへの接続を所望したときにＳＩＭから識別情報を検索するプロセスをさらに詳細に示している。ステップ1100において装置はＳＩＭに識別情報をリクエストする。ステップ1102においてＳＩＭは要求（ｃｈａｌｌｅｎｇｅ）を装置に送り、これはセキュリティの第１の層である。その後、ステップ1104においてユーザはそのユーザの証明を入力するように促され、ステップ1106において装置はこの証明と共に応答をＳＩＭに送り返す。その後、ステップ1108においてＳＩＭはユーザの認証を試みる。応答が無効ならば、ステップ1122においてユーザは識別情報へのアクセスを拒否する。応答が有効ならば、ステップ1110においてＳＩＭは識別情報を装置に送信し、ステップ1112において装置が無線通信ネットワークに接続する。ステップ1114においてネットワークはパスワードを入力するようにユーザに要求し、これはセキュリティの第２の層である。ステップ1116においてユーザはパスワードを入力し、決定ステップ1118においてネットワークはユーザの認証を試みる。ユーザが認証されることができない場合、ステップ1120においてネットワークはアクセスを拒否する。ネットワークがユーザを認証することができた場合、ステップ1124においてネットワークはユーザの許可を試みる。ユーザが許可されることができなかった場合、ステップ1126においてネットワークはアクセスを拒否する。ネットワークは、そのユーザを許可することができた場合、ステップ1128においてアクセスを許可する。
【００２７】
図１２は、本発明の別の特徴である装置間の情報の自動同期を示している。本発明のこの特徴により、データを手動で再入力する必要がなくなると同時に、ソフトウェアによりデータを手動で同期させる必要がなくなる。図１２における同期は自動的に行われ、ユーザに対して透明である。ユーザは、ＳＩＭ1204と通信中の移動電話機1202に電話帳の中のエントリのようなデータ1200を入力することができる。ラップ゜トップ1206およびハンドヘルド装置1208がＳＩＭ1204と通信を開始するとき、ＳＩＭはラップトップ1206およびハンドヘルド装置1208を自動的に同期させ、それらの電話帳を更新する。いくつかの実施形態において、データ1200は電話機1202に記憶されることができ、また、ＳＩＭ1204はデータ1200を電話機1202から取ってそれをラップトップ1206およびハンドヘルド装置1208に送ることによって同期を行うことができる。別の実施形態において、データ1200はＳＩＭ1204自身に記憶されることができる。したがって、データが電話機1202に入力されたとき、それは即座にＳＩＭ1204に転送される。いくつかの実施形態では、ＳＩＭ1204は電話1202内に組込まれることができる。また、いくつかの実施形態において、ＳＩＭ1204はＵＳＩＭであることができる。
【００２８】
以上、本発明を実行する好ましいモードを含む特定の例に関して本発明を説明してきたが、当業者は、上述したシステムおよび技術の種々の変形および置換が存在することを認識するであろう。したがって、本発明の技術的範囲は添付された請求の範囲に記載されているように広く解釈されるべきである。
【図１】
2010246102.tif 000003
【図２】
2010246102.tif 000004
【図３】
2010246102.tif 000005
【図４】
2010246102.tif 000006
【図５】
2010246102.tif 000007
【図６】
2010246102.tif 000008
【図７】
2010246102.tif 000009
【図８】
2010246102.tif 000010
【図９】
2010246102.tif 000011
【図１０】
2010246102.tif 000012
【図１１】
2010246102.tif 000013
【図１２】
2010246102.tif 000014
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
データ処理装置はトランシーバを含む加入者識別モジュール（ＳＩＭ）に、ユーザと関連する識別情報をリクエストし、
前記ＳＩＭは前記リクエストに対するネットワークへのアクセス可否メッセージをユーザから受信し、
前記ＳＩＭは前記トランシーバを介して前記データ処理装置に前記アクセス可否メッセージに応じて前記識別情報を送信し、
前記データ処理装置は前記識別情報を前記ＳＩＭから受信し、
前記データ処理装置は前記識別情報を使用して前記ネットワークに接続するステップを含んでいるネットワークに接続する方法。
【請求項２】
前記識別情報をリクエストするステップは、
エリア内のＳＩＭの位置をつきとめ、
ネットワーク認証証明を前記データ処理装置中に入力し、
前記ネットワーク認証証明および装置認証情報を前記ＳＩＭに送信し、
前記装置認証情報を確認し、
前記ネットワーク認証証明を使用して前記データ処理装置を認証するステップを含んでいる請求項１記載の方法。
【請求項３】
前記識別情報を受信するステップは、
前記リクエストされた識別情報を前記データ処理装置に返送するステップを含んでいる請求項１記載の方法。
【請求項４】
ネットワークに接続するために前記識別情報を使用するステップは、
前記データ処理装置が通信することのできるネットワークの位置をつきとめ、
前記識別情報を前記ネットワークに送信し、
前記ネットワークによって前記データ処理装置を認証し、
前記データ処理装置による前記ネットワークの使用を許可するステップを含んでいる請求項１記載の方法。
【請求項５】
マイクロプロセッサと、
メモリと、
トランシーバとを備え、
前記メモリはユーザに関連する識別情報を記憶し、
前記トランシーバはデータ処理装置から前記識別情報のリクエストを受信し、
前記マイクロプロセッサは、前記リクエストに対するユーザのアクセス可否から前記データ処理装置に前記識別情報を送信するか否か決定し、
前記トランシーバは前記マイクロプロセッサの送信可否の決定に応じて前記識別情報を前記データ処理装置に送信する、加入者識別モジュール（ＳＩＭ）。
【請求項６】
前記トランシーバは無線である請求項５記載のＳＩＭ。
【請求項７】
請求項６に記載のＳＩＭと、
前記ＳＩＭと通信することのできる１以上の移動装置とを備えている加入者識別モジュール（ＳＩＭ）への同時アクセスを行うためのシステム。
【請求項８】
プロセッサにより実行されたときに、
予め構成された情報またはユーザ入力情報によって、あるいは周辺エリアを探索することによって請求項６に記載のＳＩＭの位置を無線でつきとめ、
認証証明としてのユーザ入力を受信し、
前記証明を前記ＳＩＭに送信し、
前記ＳＩＭに含まれているトランシーバを介して認証および識別情報を前記ＳＩＭから受信し、
無線通信ネットワークにアクセスするために前記識別情報を使用するステップをコンピュータに実行させるコンピュータ読取り可能な命令を含んでいるコンピュータ読取り可能な媒体。
【請求項９】
１以上のデータ処理装置と請求項５に記載のＳＩＭとを備え、前記ＳＩＭに含まれるトランシーバを介して前記データ処理装置と通信するシステムにおいて、
前記データ処理装置は装置認証情報を前記ＳＩＭに送って、前記データ処理装置を有効な装置として認証し、
前記ＳＩＭは認証された前記データ処理装置から前記リクエストを受信し、
前記データ処理装置は前記ＳＩＭから送信された前記識別情報を使用してネットワークに対して認証する、システム。
【手続補正３】
【補正対象書類名】図面
【補正対象項目名】図１１
【補正方法】変更
【補正の内容】
【図１１】
2010246102.tif 000015
【外国語明細書】
2010246102000001.pdf